【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
一部のユニットへの電力供給が停止される第１電力状態と前記ユニットへ電力が供給される第２電力状態とになる画像形成装置であって、
外部機器から送信され、前記画像形成装置を前記第２電力状態から前記第１電力状態に移行させるパワーダウン指示を受信する受信手段と、
（１）前記画像形成装置の操作部に対してユーザが操作をしない状態で経過した時間が所定時間を超える前に前記受信手段により前記パワーダウン指示が受信された場合に、予め決められた時間が経過した後に、前記画像形成装置を前記第２電力状態から前記第１電力状態に移行させ、（２）前記操作部に対してユーザが操作をしない状態で経過した時間が前記所定時間を超えた後に前記受信手段により前記パワーダウン指示が受信された場合に、前記予め決められた時間が経過する前に、前記画像形成装置を前記第２電力状態から前記第１電力状態に移行させる制御手段と、を備えることを特徴とする画像形成装置。
【請求項２】
前記操作部に対してユーザが操作しない状態で経過した時間が前記所定時間を超える前に前記受信手段により前記パワーダウン指示が受信された場合に、前記画像形成装置の電力状態が変化することを示す画面を表示する表示手段、をさらに備えることを特徴とする、請求項１に記載の画像形成装置。
【請求項３】
前記表示手段は、前記画像形成装置の電力状態が変化するまでの時間を表示する、ことを特徴とする、請求項２に記載の画像形成装置。
【請求項４】
前記画像形成装置を前記第２電力状態から前記第１電力状態に移行させる移行処理の実行の中断をユーザに指示させるための指示手段をさらに備え、
前記指示手段により前記移行処理の実行の中断が指示された場合、前記制御手段は、前記移行処理の実行を中断することを特徴とする、請求項１乃至請求項３のいずれか１項に記載の画像形成装置。
【請求項５】
前記第１電力状態は、前記画像形成装置の電源がオフの状態であることを特徴とする、請求項１乃至請求項４のいずれか１項に記載の画像形成装置。
【請求項６】
前記所定時間は、ユーザによって予め定められた時間であることを特徴とする、請求項１乃至請求項５のいずれか１項に記載の画像形成装置。
【請求項７】
前記所定時間は、前記画像形成装置の表示部に表示される画面が初期画面に戻るまでのオートクリア時間であることを特徴とする、請求項１乃至請求項６のいずれか１項に記載の画像形成装置。
【請求項８】
一部のユニットへの電力供給が停止される第１電力状態と前記ユニットへ電力が供給される第２電力状態とになる画像形成装置の制御方法であって、
外部機器から送信され、前記画像形成装置を前記第２電力状態から前記第１電力状態に移行させるパワーダウン指示を受信する工程と、
前記画像形成装置の操作部に対してユーザが操作しない状態で経過した時間が所定時間を超える前に前記パワーダウン指示が受信された場合に、予め決められた時間が経過した後に、前記画像形成装置を前記第２電力状態から前記第１電力状態に移行させ、前記操作部に対してユーザが操作しない状態で経過した時間が前記所定時間を超えた後に前記パワーダウン指示が受信された場合に、前記予め決められた時間が経過する前に、前記画像形成装置を前記第２電力状態から前記第１電力状態に移行させる工程と、を有することを特徴とする画像形成装置の制御方法。
【請求項９】
請求項８に記載の画像形成装置の制御方法をコンピュータに実行させるためのプログラム。
【請求項１０】
請求項９に記載の画像形成装置の制御方法をコンピュータに実行させるためのプログラムを記憶したコンピュータ読取可能な記憶媒体。
【請求項１１】
一部のユニットへの電力供給が停止される第１電力状態と前記ユニットへ電力が供給される第２電力状態とになる画像形成装置であって、
外部機器から送信され、前記画像形成装置を前記第２電力状態から前記第１電力状態に移行させるパワーダウン指示を受信する受信手段と、
前記パワーダウン指示が受信される前の前記画像形成装置の操作部に対するユーザの最後の操作から前記パワーダウン指示が受信されるまでの時間が所定時間より短い場合に、待機時間が経過するのを待って、前記画像形成装置を前記第２電力状態から前記第１電力状態に移行させる制御手段と、を備えることを特徴とする画像形成装置。
【請求項１２】
前記パワーダウン指示が受信される前の前記画像形成装置の操作部に対するユーザの最後の操作から前記パワーダウン指示が受信されるまでの時間が前記所定時間より長い場合に、前記待機時間が経過するのを待たずに、前記画像形成装置を前記第２電力状態から前記第１電力状態に移行させる、ことを特徴とする請求項１１に記載の画像形成装置。
【請求項１３】
前記操作部に対してユーザが操作しない状態で経過した時間が前記所定時間を超える前に前記受信手段により前記パワーダウン指示が受信された場合に、前記画像形成装置の電力状態が変化することを示す画面を表示する表示手段、をさらに備えることを特徴とする、請求項１１又は１２に記載の画像形成装置。
【請求項１４】
前記表示手段は、前記画像形成装置の電力状態が変化するまでの時間を表示する、ことを特徴とする、請求項１３に記載の画像形成装置。
【請求項１５】
前記画像形成装置を前記第２電力状態から前記第１電力状態に移行させる移行処理の実行の中断をユーザに指示させるための指示手段をさらに備え、
前記指示手段により前記移行処理の実行の中断が指示された場合、前記制御手段は、前記移行処理の実行を中断することを特徴とする、請求項１１乃至請求項１４のいずれか１項に記載の画像形成装置。
【請求項１６】
前記第１電力状態は、前記画像形成装置の電源がオフの状態であることを特徴とする、請求項１１乃至請求項１５のいずれか１項に記載の画像形成装置。
【請求項１７】
前記所定時間は、ユーザによって予め定められた時間であることを特徴とする、請求項１１乃至請求項１６のいずれか１項に記載の画像形成装置。
【請求項１８】
前記所定時間は、前記画像形成装置の表示部に表示される画面が初期画面に戻るまでのオートクリア時間であることを特徴とする、請求項１１乃至請求項１７のいずれか１項に記載の画像形成装置。
【請求項１９】
少なくとも画像形成装置の一部のユニットへの電力供給が停止される第１電力状態と前記ユニットへ電力が供給される第２電力状態とになる画像形成装置の制御方法であって、
外部機器から送信され、前記画像形成装置を前記第２電力状態から前記第１電力状態に移行させるパワーダウン指示を受信する工程と、
前記画像形成装置の操作部に対してユーザが操作をしない状態で経過した時間が所定時間を超える前に前記受信手段により前記パワーダウン指示が受信された場合に、前記画像形成装置を前記第２電力状態から前記第１電力状態に移行させる処理を遅延させる工程と、を有することを特徴とする画像形成装置の制御方法。
【請求項２０】
請求項１９に記載の画像形成装置の制御方法をコンピュータに実行させるためのプログラム。
【請求項２１】
請求項２０に記載の画像形成装置の制御方法をコンピュータに実行させるためのプログラムを記憶したコンピュータ読取可能な記憶媒体。
【手続補正２】
【補正対象書類名】明細書
【補正対象項目名】０００５
【補正方法】変更
【補正の内容】
【０００５】
上記目的を達成するため、本発明の画像形成装置は、一部のユニットへの電力供給が停止される第１電力状態と前記ユニットへ電力が供給される第２電力状態とになる画像形成装置であって、外部機器から送信され、前記画像形成装置を前記第２電力状態から前記第１電力状態に移行させるパワーダウン指示を受信する受信手段と、（１）前記画像形成装置の操作部に対してユーザが操作をしない状態で経過した時間が所定時間を超える前に前記受信手段により前記パワーダウン指示が受信された場合に、予め決められた時間が経過した後に、前記画像形成装置を前記第２電力状態から前記第１電力状態に移行させ、（２）前記操作部に対してユーザが操作をしない状態で経過した時間が前記所定時間を超えた後に前記受信手段により前記パワーダウン指示が受信された場合に、前記予め決められた時間が経過する前に、前記画像形成装置を前記第２電力状態から前記第１電力状態に移行させる制御手段と、を備える。